(57)【要約】      （修正有）【課題】両間柱に能率良く簡便に固定することのできる間柱用固定金具を提供する。【解決手段】両間柱１にねじ４で固定される固定部Ａ１と、両固定部Ａ１を繋ぐ繋ぎ部Ａ２と、を備え、繋ぎ部Ａ２には、機器を支持する機器支持部が設けられている間柱用固定金具であって、両固定部Ａ１の各々は、両間柱１の相対向する第１側面Ｆａに当接可能な第１固定板１１と、第１固定板１１の端部に連続する状態で両間柱１における第１側面Ｆａと直交する前面側の第２側面Ｆｂに当接可能な第２固定板１２と、第２固定板１２の端部に連続する状態で両間柱１における第２側面Ｆｂと直交する第３側面Ｆｃに当接可能な第３固定板１３と、を備え、第１固定板１１と第３固定板１３との対向面間の間隔が、間柱１の第１側面Ｆａと第３側面Ｆｃとの外面間寸法よりも小に構成され、さらに、両固定部Ａ１の少なくとも両第２固定板１２には、ねじ４の取付け孔４２が形成されている。【選択図】図１
2019049140.tif 000002
【特許請求の範囲】
【請求項１】
間仕切壁構築箇所に配置された両間柱にねじで固定される固定部と、前記両固定部を繋ぐ繋ぎ部と、を備え、前記繋ぎ部には、間仕切壁に配置される機器を支持する機器支持部が設けられている間柱用固定金具であって、
前記両固定部の各々は、前記両間柱の相対向する第１側面に当接可能な第１固定板と、当該第１固定板の端部に連続する状態で前記両間柱における前記第１側面と直交する前面側の第２側面に当接可能な第２固定板と、当該第２固定板の端部に連続する状態で前記両間柱における前記第２側面と直交する第３側面に当接可能な第３固定板と、を備え、前記第１固定板と第３固定板との対向面間の間隔が、前記間柱の第１側面と第３側面との外面間寸法よりも小に構成され、さらに、前記両固定部の少なくとも前記両第２固定板には、前記ねじの取付け孔が形成されている間柱用固定金具。
【請求項２】
前記固定部の第１固定板と前記繋ぎ部の繋ぎ板とを折り曲げる折り曲げ部位には、前記繋ぎ部に支持される前記機器の種類に応じて折り曲げ位置を複数に選択変更可能な折り曲げ選択部が設けられている請求項１記載の間柱用固定金具。
【請求項３】
前記各固定部の第３固定板には、前記間柱に対して前記固定部が嵌合装着されたとき、前記間柱の被係合部に抜け止め状態で係合する係合部が形成されている請求項１又は２記載の間柱用固定金具。
【発明の詳細な説明】
【技術分野】
【０００１】
本発明は、間仕切壁構築箇所に配置された両間柱にねじで固定される固定部と、前記両固定部を繋ぐ繋ぎ部と、を備え、前記繋ぎ部には、間仕切壁に配置される機器を支持する機器支持部が設けられている間柱用固定金具に関する。
【背景技術】
【０００２】
従来の間柱用固定金具では、特許文献１に示すように、両固定部の各々は、軽量形鋼製の両間柱の相対向する対向側面に当接可能な固定板から構成され、各固定板は、繋ぎ部の繋ぎ板に対して直角に折り曲げ形成されている。各固定板には、間柱の対向側面にねじの一例であるタッピンねじで固定するための取付け孔が貫通形成されている。
【０００３】
そして、両間柱に亘って間柱用固定金具を固定する際、一般に、間柱用固定金具の取付け位置を両間柱の対向側面にマーキングし、このマーキング位置に両固定部の固定板を当て付ける。この状態で各固定板の取付け孔に配置したタッピンねじをインパクトドライバー等の工具で捻じ込み、間柱用固定金具の両固定板を両間柱の対向側面に締め付け固定する。
【先行技術文献】
【特許文献】
【０００４】
【特許文献１】特開２０１５−０２３６２６号公報（図１３）
【発明の概要】
【発明が解決しようとする課題】
【０００５】
特許文献１に示す間柱用固定金具では、タッピンねじの捻じ込み時に、両固定部を繋ぐ繋ぎ部を一方の手で把持して、一方の固定板を一方の間柱の対向側面に対して垂直方向から押し付けている。しかし、垂直方向からの押し付けだけでは位置保持力が弱くて不安定であるため、他方の手で工具を操作してタッピンねじを捻じ込む際、軽量形鋼製の間柱に当接したタッピンねじの動き回りによって間柱用固定金具の固定板が簡単に位置ずれを起こし易く、その都度、間柱用固定金具の固定板を対向側面のマーキング位置に位置合わせし直す必要があり、固定板のねじ止め固定に手間取る不都合がある。
【０００６】
この実情に鑑み、本発明の主たる課題は、両間柱の前面とこれに沿って取付けられる壁材との間に存在する融通に着目した合理的な改良により、両間柱に亘って能率良く簡便に固定することのできる間柱用固定金具を提供する点にある。
【課題を解決するための手段】
【０００７】
本発明による第１の特徴構成は、間仕切壁構築箇所に配置された両間柱にねじで固定される固定部と、前記両固定部を繋ぐ繋ぎ部と、を備え、前記繋ぎ部には、間仕切壁に配置される機器を支持する機器支持部が設けられている間柱用固定金具であって、
前記両固定部の各々は、前記両間柱の相対向する第１側面に当接可能な第１固定板と、当該第１固定板の端部に連続する状態で前記両間柱における前記第１側面と直交する前面側の第２側面に当接可能な第２固定板と、当該第２固定板の端部に連続する状態で前記両間柱における前記第２側面と直交する第３側面に当接可能な第３固定板と、を備え、前記第１固定板と第３固定板との対向面間の間隔が、前記間柱の第１側面と第３側面との外面間寸法よりも小に構成され、さらに、前記両固定部の少なくとも前記両第２固定板には、前記ねじの取付け孔が形成されている点にある。
【０００８】
上記構成によれば、繋ぎ部の両側に位置する両固定部を、第１固定板と第２固定板と第３固定板とをもって略コの字状に構成し、この略コの字状の両固定部を、間仕切壁構築箇所に配置された両間柱に対して前面側から嵌合装着する。このとき、各固定部の第１固定板と第３固定板との対向面間の間隔が、間柱の第１側面と第３側面との外面間寸法よりも小に構成されているので、各固定部の第１固定板と第３固定板との対向面間で間柱の第１側面と第３側面とを挟持し、間柱用固定金具の両固定部が両間柱の設定取付け位置に挟持状態で仮保持される。
【０００９】
しかも、両間柱に挟持保持された各固定部においては、第１固定板が両間柱の相対向する第１側面に当接し、この第１固定板の端部に連続する第２固定板が、第１側面の端部に連続する前面側の第２側面に当接し、この第２固定板の端部に連続する第３固定板が、第２側面の端部に連続する第３側面に当接しているので、ねじの捻じ込み時の動き回りに起因する外力が作用しても、両間柱に挟持状態で仮保持された間柱用固定金具の傾動等を抑制することができる。
さらに、両固定部の少なくとも両第２固定板には、ねじの取付け孔が形成されているのもで、間柱に対する固定部のねじ止め操作を前方側の広い空間において無理のない姿勢で容易に行うことができる。
また、間柱の前面側の第２側面とこれに沿って取付けられる壁材との間には若干の融通が存在するため、間柱の第２側面に固定部の第２固定板が配置されていても、壁材の取付けに影響を及ぼすことはない。
【００１０】
したがって、間柱の前面とこれに沿って取付けられる壁材との間に存在する融通に着目した上述の合理的な構成により、両間柱に対する間柱用固定金具の位置保持の容易化と確実化を図ることができ、且つ、両間柱の前面側から無理のない姿勢で容易にねじ止め操作することができるので、間柱用固定金具を両間柱に亘って能率良く簡便に固定するこができる。
【００１１】
本発明による第２の特徴構成は、前記固定部の第１固定板と前記繋ぎ部の繋ぎ板とを折り曲げる折り曲げ部位には、前記繋ぎ部に支持される前記機器の種類に応じて折り曲げ位置を複数に選択変更可能な折り曲げ選択部が設けられている点にある。
【００１２】
上記構成によれば、両間柱に亘って間柱用固定金具を固定する際、その施工現場において、繋ぎ部に支持される機器の種類によって変動する大きさや形状等に応じて、固定部の第１固定板と繋ぎ部の繋ぎ板とを折り曲げる折り曲げ部位に設けられている折り曲げ選択部での折り曲げ位置を選択することができるので、機器の種類に応じた適切な取付けを容易に実施することができる。
【００１３】
本発明による第３の特徴構成は、前記各固定部の第３固定板には、前記間柱に対して前記固定部が所定の嵌合装着状態にあるとき、前記間柱の被係合部に抜け止め状態で係合する係合部が形成されている点にある。
【００１４】
上記構成によれば、間柱用固定金具の両固定部が両間柱に所定姿勢で嵌合装着されたとき、各固定部の第３固定板に形成された係合部が間柱の被係合部に抜け止め状態で係合するため、両間柱に対する間柱用固定金具の仮保持力を高めることができる。
【図面の簡単な説明】
【００１５】
【図１】両間柱に対する間柱用固定金具の取付け説明図
【図２】両間柱に仮保持された間柱用固定金具の前方側斜視図
【図３】両間柱に仮保持された間柱用固定金具の後方側斜視図
【図４】両間柱に仮保持された間柱用固定金具の平面図
【図５】間柱用固定金具の分離状態の斜視図
【図６】間柱用固定金具の前方側斜視図
【図７】間柱用固定金具の後方側斜視図
【図８】間柱用固定金具の平面図（ａ）、左側面図（ｂ）、正面図（ｃ）、右側面図（ｄ）、底面図（ｅ）
【発明を実施するための形態】
【００１６】
本発明の実施形態を図面に基づいて説明する。
図１は、間仕切壁構築箇所に所定間隔をおいて配置された軽量形鋼製の両間柱１間に、軽量間仕切壁Ｗの内部に配置される配線ボックスやスイッチ等の機器２（図２参照）を支持する金属製の間柱用固定金具Ａを取付ける取付け手順を示す。図２〜図４は、両間柱１間に亘って間柱用固定金具Ａを仮保持させた状態を示す。
軽量間仕切壁Ｗは、図１、図２に示すように、建物の間仕切壁構築予定箇所に沿って複数の間柱１を所定間隔で配置し、複数の間柱１の壁幅方向両側部に、石膏ボード等の壁材３を取付けて構成されている。尚、図１、図２においては、間柱用固定金具Ａの取付けを例示する関係で片面側の壁材３のみを表示している。
【００１７】
また、間柱１を構成する軽量形鋼としては、従来から種々の形態のものが存在し、そのいずれの形態の軽量形鋼も好適に用いることができる。本実施形態の間柱１は、軽量形鋼の一例であるリップ溝形鋼が用いられている。このリップ溝形鋼製の間柱１は、図１〜図４に示すように、壁幅方向に沿う底板部１Ａと、当該底板部１Ａの壁幅方向両側から壁面方向に沿って直角に折り曲げ形成される一対の側板部１Ｂと、両側板部１Ｂの先端から壁幅方向の内方側に直角に折り曲げ形成される一対のリップ部１Ｃとから構成されている。リップ部１Ｃは、図４に示すように、その先端側が間柱１の内部空間側に突出する状態で平面視において略Ｌ字状に屈曲形成され、両リップ部１Ｃ間には、間柱１の全長に亘って開口する開口部１Ｄが形成されている。
また、底板部１Ａの壁幅方向中央部分は、壁幅方向両端部分よりも間柱１の内部空間側に窪み形成され、この窪み形成された壁幅方向中央部分と壁幅方向両端部分との境界箇所に上下方向に沿う段差１Ｅが形成されている。この底板部１Ａの段差１Ｅの形成位置とリップ部１Ｃの先端部１ｃの位置とが一致又は略一致する。底板部１Ａの段差１Ｅ及びリップ部１Ｃの先端部１ｃは、後述の被係合部３１を構成する。
【００１８】
本実施形態においては、複数の間柱１は、開口部１Ｄが壁面方向の一側方（図１、図４における右側）に位置する状態で配置されている。そのため、図１、図４において、左側の間柱１のリップ部１Ｃと右側の間柱１の底板部１Ａとが壁面方向で相対向することになり、このリップ部１Ｃの外側面と底板部１Ａの外側面との各々が、壁面方向で相対向する第１側面Ｆａを構成することになる。
また、左側の間柱１の両側板部１Ｂと右側の間柱１の両側板部１Ｂとのうち、図１、図２において、壁材３が取付けられていない手前側の両側板部１Ｂの外面の各々が、第１側面Ｆａの端部に直角に連続する前面側の第２側面Ｆｂを構成することになる。
さらに、図１、図４において、左側の間柱１の底板部１Ａの外側面と右側の間柱１のリップ部１Ｃの外側面の各々が、第２側面Ｆｂの端部に直角に連続する第３側面Ｆｃを構成することになる。
【００１９】
次に、間柱用固定金具Ａについて詳述する。
間柱用固定金具Ａは、図１、図５〜図８に示すように、両間柱１に取付けねじの一例であるタッピンねじ４で固定される板金製の一対の固定部Ａ１と、両固定部Ａ１を繋ぐ伸縮自在な板金製の繋ぎ部Ａ２と、を備えている。
両固定部Ａ１の各々は、図２〜図４に示すように、両間柱１の相対向する第１側面Ｆａに当接可能な第１固定板１１と、当該第１固定板１１の他端部に連続する状態で両間柱１の前面側の第２側面Ｆｂに当接可能な第２固定板１２と、当該第２固定板１２の他端部に連続する状態で両間柱１の第３側面Ｆｃに当接可能な第３固定板１３と、を備えている。
両固定部Ａ１の第１固定板１１の一端部は、繋ぎ部Ａ２を構成する伸縮自在な第１繋ぎ板２１及び第２繋ぎ板２２の各端部に連続形成され、両第１固定板１１は、第１繋ぎ板２１及び第２繋ぎ板２２に対して略直角に折り曲げ形成されている。
【００２０】
図２〜図４に示すように、各固定部Ａ１の第１固定板１１と第２固定板１２は略直角に折り曲げ形成されている。第３固定板１３は、第１固定板１１及び第２固定板１２よりも短く、且つ、間柱１のリップ部１Ｃよりも長く構成されている。この第３固定板１３は、第２固定板１２に対して９０度よりも少し小なる角度で折り曲げ形成されている。この構成により、各固定部Ａ１は、平面視で略コの字状に構成され、両間柱１に対して前面側から嵌合装着可能に構成されている。
【００２１】
図８に示すように、第１固定板１１と第３固定板１３の先端側部位との間の最小対向面間隔（後述の係合部３２の形成位置が最小対向面間隔となる）Ｌ１は、図３に示す間柱１の第１側面Ｆａと第３側面Ｆｃとの外面間寸法Ｌ３よりも小に構成されている。また、図８に示すように、第１固定板１１と第３固定板１３の基端側部位との間の最大対向面間隔Ｌ２は、図３に示す間柱１の第１側面Ｆａと第３側面Ｆｃとの外面間寸法Ｌ３と同一に構成されている。
そして、図１に示すように、繋ぎ部Ａ２の両側に位置する両固定部Ａ１を上述のようにコの字状に構成し、このコの字状の両固定部Ａ１を、間仕切壁構築箇所に配置された両間柱１に対して前面側から嵌合装着する。このとき、各固定部Ａ１の第１固定板１１と第３固定板１３との最小対向面間隔Ｌ１が、間柱１の第１側面Ｆａと第３側面Ｆｃとの外面間寸法Ｌ３よりも小に構成されているので、各固定部Ａ１の第１固定板１１と第３固定板１３との対向面間で間柱１の第１側面Ｆａと第３側面Ｆｃとが挟持され、図２〜図４に示すように、間柱用固定金具Ａの両固定部Ａ１が両間柱１の設定取付け位置に挟持状態で仮保持される。
【００２２】
しかも、図２〜図４に示すように、両間柱１に挟持保持された各固定部Ａ１においては、第１固定板１１が両間柱１の相対向する第１側面Ｆａに当接し、この第１固定板１１の端部に連続する第２固定板１２が、第１側面Ｆａの端部に連続する前面側の第２側面Ｆｂに当接し、この第２固定板１２の端部に連続する第３固定板１３が、第２側面Ｆｂの端部に連続する第３側面Ｆｃに当接しているので、タッピンねじ４の捻じ込み時の動き回りに起因する外力が作用しても、両間柱１に挟持状態で仮保持された間柱用固定金具Ａの傾動等を抑制することができる。
【００２３】
図２〜図４に示すように、各固定部Ａ１の第３固定板１３のうち、被係合部３１を構成する底板部１Ａの段差１Ｅ及びリップ部１Ｃの先端部１ｃに対応する部位には、間柱１側にＶ字状に突出する係合部３２が形成されている。
そのため、間柱用固定金具Ａの両固定部Ａ１が両間柱１の設定取付け位置に挟持状態で仮保持されると、図１〜図４に示すように、左側の間柱１と一方の固定部Ａ１との嵌合装着部位においては、固定部Ａ１の第３固定板１３の係合部３２が、間柱１の底板部１Ａの一方の段差１Ｅをもって構成される被係合部３１に抜け止め状態で係合する。右側の間柱１と他方の固定部Ａ１との嵌合装着部位においては、固定部Ａ１の第３固定板１３の係合部３２が、右側の間柱１における一方のリップ部１Ｃの先端部１ｃをもって構成される被係合部３１に抜け止め状態で係合する。この構成により、両間柱１に対する間柱用固定金具Ａの仮保持力を高めることができる。
【００２４】
図１〜図４に示すように、各固定部Ａ１の第１固定板１１の一箇所には、当該第１固定板１１をタッピンねじ４で間柱１の第１側面Ｆａに捻じ込み固定するための第１取付け孔４１が形成されている。第２固定板１２の長手方向三箇所には、当該第２固定板１２をタッピンねじ４で間柱１の第２側面Ｆｂに捻じ込み固定するための第２取付け孔４２が形成されている。本実施形態では、一つの第１取付け孔４１と三つの第２取付け孔４２とを使用することができるが、その使用数は作業者が選択することになる。
また、第２固定板１２に形成されている第２取付け孔４２を使用する場合には、タッピンねじ４のねじ込み操作を前方側の広い空間において無理のない姿勢で容易に行うことができる。
【００２５】
図６〜図８に示すように、一方の固定部Ａ１の第１固定板１１と繋ぎ部Ａ２の第１繋ぎ板２１との間の折り曲げ部位、及び、他方の固定部Ａ１の第１固定板１１と繋ぎ部Ａ２の第２繋ぎ板２２との間の折り曲げ部位には、繋ぎ部Ａ２に支持される機器２の種類によって変動する大きさや形状等に応じて折り曲げ位置を複数に選択変更可能な折り曲げ選択部５１が設けられている。折り曲げ選択部５１は、各折り曲げ部位の長手方向の複数個所に形成された折り曲げ用脆弱部５１ａから構成されている、本実施形態では、各折り曲げ部位の長手方向の三箇所の各々に、折り曲げ用脆弱部５１ａの一例である板幅方向に沿う二つの長孔を形成して構成されている。
【００２６】
上記構成により、両間柱１に亘って間柱用固定金具Ａを固定する際、その施工現場において、繋ぎ部Ａ２に支持される機器２の種類によって変動する大きさや形状等に応じて、固定部Ａ１の第１固定板１１と繋ぎ部Ａ２の第１繋ぎ板２１及び第２繋ぎ板２２との間の折り曲げ部位に設けた折り曲げ選択部５１で折り曲げ位置を選択することができるので、機器２の種類に応じた適切な取付けを容易に実施することができる。
【００２７】
そのため、施工現場に搬入される間柱用固定金具Ａは、一方の固定部Ａ１の第１固定板１１と繋ぎ部Ａ２の第１繋ぎ板２１との間の折り曲げ部位、及び、他方の固定部Ａ１の第１固定板１１と繋ぎ部Ａ２の第２繋ぎ板２２との間の折り曲げ部位が折り曲げ加工されていない状態にあり、各施工現場において、機器２の種類に応じて折り曲げ選択部５１の折り曲げ用脆弱部５１ａが選択される。本実施形態では、図１〜図４に示すように、長手方向中央位置の折り曲げ用脆弱部５１ａで折り曲げ形成されている。
【００２８】
図５〜図７に示すように、繋ぎ部Ａ２の第１繋ぎ板２１の幅方向両側縁部には、それの長手方向に沿って横断面略Ｕの字状に折り曲げられた一対の外側摺動案内部２３が形成されている。繋ぎ部Ａ２の第２繋ぎ板２２の幅方向両側縁部には、外側摺動案内部２３の内寸法に相当する大きさで長手方向に沿って横断面略Ｕの字状に折り曲げられた一対の内側摺動案内部２４が形成されている。
第１繋ぎ板２１の両外側摺動案内部２３内に第２繋ぎ板２２の両内側摺動案内部２４が摺動自在に嵌合されている。
【００２９】
繋ぎ部Ａ２の第１繋ぎ板２１における外側摺動案内部２３の形成領域、及び、第２繋ぎ板２２における内側摺動案内部２４の形成領域が、機器２を支持する機器支持部に構成されている。この機器支持部を構成する第１繋ぎ板２１の幅方向中央位置及び第２繋ぎ板２２の幅方向中央位置には、機器２を取付けるため複数個の長孔２５，２６が長手方向に沿って所定ピッチで形成されている。
【００３０】
図１、図２に示す軽量間仕切壁Ｗにおいては、両間柱１の前面側の第２側面Ｆｂとこれに沿って取付けられる壁材３との間には若干の融通が存在するため、両間柱１の第２側面Ｆｂに両固定部Ａ１の第２固定板１２が配置されても、壁材３の取付けに影響を及ぼすことはない。
〔その他の実施形態〕
（１）上述の実施形態では、両固定部Ａ１を繋ぐ繋ぎ部Ａ２を、伸縮自在な二分割構造の第１繋ぎ板２１と第２繋ぎ板２から構成したが、この構成に限定されるものではない。例えば、繋ぎ部Ａ２を、伸縮自在な三分割構造に構成してもよい。さらに、両間柱１の対向面間隔が一定に構成されている施工現場においては、両固定部Ａ１を伸縮不能な繋ぎ部Ａ２で一体に構成した間柱用固定金具Ａを用いてもよい。
【００３１】
（２）上述の実施形態では、繋ぎ部Ａ２の機器支持部に、機器２を取付けるため複数個の長孔２５，２６を形成したが、この構成に限定されるものではない。機器２を支持することのできる構造であれば、如何なる支持構造を用いてもよい。
【符号の説明】
【００３２】
１        間柱
４        ねじ（タッピンねじ）
１１      第１固定板
１２      第２固定板
１３      第３固定板
２１      繋ぎ板（第１繋ぎ板）
２２      繋ぎ板（第２繋ぎ板）
３１      被係合部
３２      係合部
４２      取付け孔（第２取付け孔）
５１      折り曲げ選択部
Ａ１      固定部
Ａ２      繋ぎ部
Ｆａ      第１側面
Ｆｂ      第２側面
Ｆｃ      第３側面
Ｌ１      対向面間隔（最小対向面間隔）
Ｌ３      外面間寸法
Ｗ        間仕切壁（軽量間仕切壁）
【図１】
2019049140.tif 000003
【図２】
2019049140.tif 000004
【図３】
2019049140.tif 000005
【図４】
2019049140.tif 000006
【図５】
2019049140.tif 000007
【図６】
2019049140.tif 000008
【図７】
2019049140.tif 000009
【図８】
2019049140.tif 000010